(57)【特許請求の範囲】
【請求項１】
外周にドリブンギア（２５）を有すると共に桟がなくて単一の輪状のロータケース（２２）と、
このロータケース（２２）の内側に固定された吸湿性を有する加湿ロータ本体（２１，４１）と
からなり、
上記ロータケース（２２）の筒部（２３）の内周から突出して、加湿ロータ本体２１に食い込んでいる爪によって、上記加湿ロータ本体（２１，４１）をロータケース（２２）に固定した
ことを特徴とする加湿ロータ。
【請求項２】
請求項１の加湿ロータにおいて、上記ロータケース（２２）は外周の被案内部（２６）と端面である被案内部とを有することを特徴とする加湿ロータ。
【請求項３】
請求項１または２の加湿ロータと、この加湿ロータ（２２）の外周を案内する案内部（３４，３５，３６）を有することを特徴とする加湿ユニットの加湿ロータ構造。
【請求項４】
請求項２の加湿ロータ（２０，４０）と、この加湿ロータ（２０，４０）の外周の被案内部と端面の被案内部を案内する案内部（３３，３４，３５，３６）を有することを特徴とする加湿ユニットの加湿ロータ構造。
【請求項５】
請求項３または４の加湿ユニットの加湿ロータ構造において、上記外周の案内部（３４，３４，３５）は離間して３個設けていることを特徴とする加湿ユニットの加湿ロータ構造。
【請求項６】
外周案内される輪状で桟がないロータケース（２２）と、
このロータケース（２２）の内側に固定された吸湿性を有する加湿ロータ本体２１，４１）と
からなり、
上記ロータケース（２２）の筒部（２３）の内周から突出して、加湿ロータ本体（２１）に食い込んでいる爪によって、上記加湿ロータ本体（２１，４１）をロータケース（２２）に固定した
ことを特徴とする加湿ロータ。
【請求項７】
請求項１，２または６の加湿ロータにおいて、上記加湿ロータ本体（４１）は、円板状をしていて中央に穴がないことを特徴とする加湿ロータ。
【発明の詳細な説明】
【０００１】
【発明の属する技術分野】
この発明は、加湿ロータおよびその加湿ロータを有する加湿ユニットの加湿ロータ構造に関する。
【０００２】
【従来の技術】
従来、加湿ロータとしては、図６に示すものがある。この加湿ロータ１０は、中央に穴１ａを有する輪状の吸湿性を有する加湿ロータ本体１を、外周にドリブンギアを有する輪状の第１ロータケース２の内側に嵌合している。そして、上記加湿ロータ本体１の穴１ａに、ハブである第２ロータケース３を嵌合して、この第２ロータケース３の鍔部と桟状の第３ロータケース５で加湿ロータ本体１を挟んで、第２ロータケース３と第３ロータケース５とをネジ６，６で固定している。
【０００３】
図７に示すように、この加湿ロータ本体１と第１，２，３ロータケース２，３，５とからなる加湿ロータ１０を、本体フレーム１１に形成した軸部１２に嵌合して、加湿ロータ１０を軸案内で回転させるようにしている。
【０００４】
【発明が解決しようとする課題】
しかしながら、上記従来の加湿ロータ１０では、加湿ロータ本体１の他に、第１，第２，第３ロータケース２，３，５の３つのロータケースと２つのネジ６、を必要とするため、部品点数が計６個と多くなって、加工、組み立てコストが高くなると言う問題があった。
【０００５】
また、上記加湿ロータ１０では、加湿ロータ本体１を押さえている桟状の第３ロータケース５のため、加湿ロータ本体１を通る空気の通風抵抗が大きくなって、送風量が少なくなって加湿性能が低いと言う問題があった。
【０００６】
そこで、この発明の課題は、部品点数が少なくて安価で、しかも、通風抵抗の少ない加湿ロータおよびそれを使用した加湿ユニットの加湿ロータ構造を提供することにある。
【０００７】
【課題を解決するための手段】
上記課題を解決するため、請求項１の発明の加湿ロータは、
外周にドリブンギアを有すると共に桟がなくて単一の輪状のロータケースと、
このロータケースの内側に固定された吸湿性を有する加湿ロータ本体と
からなり、
上記ロータケース（２２）の筒部（２３）の内周から突出して、加湿ロータ本体２１に食い込んでいる爪によって、上記加湿ロータ本体をロータケースに固定した
ことを特徴としている。
【０００８】
上記加湿ロータは、単一の輪状のロータケースに加湿ロータ本体を固定してなるので、部品点数が２個と、従来の６個に比べて、著しく低減でき、コストダウンとコンパクト化を達成できる。
【０００９】
また、上記加湿ロータは、加湿ロータ本体を押さえるための桟状のロータケースを使用していないので、通風抵抗が少なくなって、送風量が多くなって、加湿性能が向上する。また、上記ロータケースの筒部の内周から突出して、加湿ロータ本体に食い込んでいる爪によって、上記加湿ロータ本体をロータケースに固定しているので、通風性能を損ねることなく、簡単かつ耐久性よく強固に、加湿ロータ本体をロータケースに固定できる。
【００１０】
請求項２の発明の加湿ロータは、請求項１の加湿ロータにおいて、上記ロータケースは外周の被案内部と端面である被案内部とを有することを特徴としている。
【００１１】
上記構成によれば、外周の被案内部を案内することによって、外周案内となって、軸が不用になり、かつ、軸が不用な分だけ、加湿ロータの有効面積が増大することが可能で、加湿性能が向上する。また、端面の被案内部を案内することによって、加湿ロータの傾きを簡単に防止できる。
【００１２】
【００１３】
【００１４】
請求項３の発明の加湿ユニットの加湿ロータ構造は、請求項１または２の加湿ロータと、この加湿ロータの外周を案内する案内部を有することを特徴としている。
【００１５】
上記構成によれば、上記案内部が加湿ロータの外周を案内するので、軸が不要になって、構造が簡単、コンパクトになる。
【００１６】
請求項４の発明の加湿ユニットの加湿ロータ構造は、請求項２の加湿ロータと、この加湿ロータの外周の被案内部と端面の被案内部を案内する案内部を有することを特徴としている。
【００１７】
上記構成によれば、外周の被案内部を案内することによって、外周案内となって、軸が不用になり、かつ、軸が不用な分だけ、加湿ロータの有効面積が増大することが可能で、加湿性能が向上する。また、端面の被案内部を案内することによって、加湿ロータの傾きを簡単に防止できる。
【００１８】
請求項５の発明の加湿ユニットの加湿ロータ構造は、請求項３または４の加湿ユニットの加湿ロータ構造において、上記外周の案内部は離間して３個設けていることを特徴としている。
【００１９】
上記構成では、上記外周の案内部は離間して３個設けているので、簡単な構造で、加湿ロータを安定にかつスムーズに案内できる。
【００２０】
請求項６の発明は加湿ロータは、
外周案内される輪状で桟がないロータケースと、
このロータケースの内側に固定された吸湿性を有する加湿ロータ本体２１，４１）と
からなり、
上記ロータケースの筒部の内周から突出して、加湿ロータ本体に食い込んでいる爪によって、上記加湿ロータ本体をロータケースに固定した
ことを特徴としている。
【００２１】
上記構成によれば、外周案内となって、軸が不用になって構造が簡単になり、かつ、軸が不用な分だけ、加湿ロータの有効面積が増大し、加湿性能が向上することが可能である。また、上記ロータケースに桟がない分、その通風抵抗が少なくなって、送風量が多くなって、加湿性能が向上する。また、上記ロータケースの筒部の内周から突出して、加湿ロータ本体に食い込んでいる爪によって、上記加湿ロータ本体をロータケースに固定しているので、通風性能を損ねることなく、簡単かつ耐久性よく強固に、加湿ロータ本体をロータケースに固定できる。
【００２２】
請求項７の発明の加湿ロータは、請求項１，２または６の加湿ロータにおいて、上記加湿ロータ本体は、円板状をしていて中央に穴がないことを特徴としている。
【００２３】
上記構成では、上記加湿ロータ本体は、円板状をしていて中央に穴がないので、加湿ロータの有効面積が増大し、加湿性能が向上する。
【００２４】
【発明の実施の形態】
以下、この発明を図示の実施の形態により詳細に説明する。
【００２５】
図１に示すように、この加湿ロータ２０は、中央に穴２１ａを有する輪状の加湿ロータ本体２１と単一の輪状のロータケース２２とからなる。この加湿ロータ本体２１は、例えば、セラミックス紙にゼオライトやシリカゲル等の吸湿剤を含浸させてなる。一方、上記ロータケース２２は、筒部２３とフランジ部２４とドリブンギア（図１，２では図示していない。）からなる。図３に示すように、上記筒部２３の外周にドリブンギア２５を形成している。
【００２６】
図２，３に示すように、上記ロータケース２２内に加湿ロータ本体２１を密に嵌合し、この加湿ロータ本体２１とロータケース２２とを接着剤と爪とによって固定している。上記爪は、図示していないが、上記ロータケース２２の筒部２３の内周から突出して、加湿ロータ本体２１に食い込んでいる。このように、上記ロータケース２２に加湿ロータ本体２１を接着剤と爪との両方で固定しているので、それらを強固に固定できる。
【００２７】
一方、図２，３に示すように、本体フレーム３１に、加湿ロータ２０を取り付けている。上記本体フレーム３１のギア取付部３２に取り付けたドライブギア４５に、ロータケース２２のドリブンギア２５が噛合している。上記本体フレーム３１には、図３，４に示すように、互いに離間した案内部３３，３４，３５，３６を設けている。上記案内部３３は、ギア取付部３２の近傍下方に位置して、加湿ロータ２０のロータケース２２の被案内部である端面を案内する。また、上記３個の案内部３４，３５，３６は、ロータケース２２のドリブンギア２５の下方に位置する被案内部である外周面２６を案内すると共に、ロータケース２２の端面を案内する。上記案内部３４の部分３４ａは外周面２６を案内し、部分３４ｂは端面を案内する。また、上記案内部３５の部分３５ａは外周面２６を案内し、部分３５ｂは端面を案内する。
【００２８】
上記構成の加湿ロータ２０は、ドライブギア４５とドリブンギア２５との噛合によって、確実に回転駆動されて、外気から吸湿して、加熱空気に水分を放出する。
【００２９】
このとき、上記加湿ロータ２０は、従来例とは違って、加湿ロータ本体２１を押さえるための桟状のロータケースを使用していないので、通風抵抗が少なくなって、送風量が多くなって、加湿性能が向上する。
【００３０】
また、上記加湿ロータ２０が回転する際に、ギア取付部３２の近傍下方に位置する案内部３３は、ロータケース２２の端面を案内し、３個の案内部３４，３５，３６は、ロータケース２２のドリブンギア２５の下方に位置する外周面２６を案内すると共に、ロータケース２２の端面を案内する。したがって、上記加湿ロータ２０は軸がなくても、スムーズに回転し、かつ、傾くことがない。特に、上記ロータケース２２の外周面２６を、互いに離間した３個の案内部３４，３５，３６の部分３４ａ，３５ａで案内しているので、少ない数、つまり、３個の案内部３４，３５，３６で安定かつ確実に案内できる。
【００３１】
上記加湿ロータ２０は、単一の輪状のロータケース２２に加湿ロータ本体２１を固定してなるので、部品点数が２個と少なくて、安価でコンパクトであると言う利点を有する。
【００３２】
また、この加湿ユニットの加湿ロータ構造は、加湿ロータ２０ロータケース２２の被案内部である外周面２６を、本体フレーム３１の案内部３４，３５，３６の外周面２６用の部分３４ａ，３５ａで案内することによって、外周案内となって、軸が不用になり、軸が不用な分だけ、コンパクト、かつ、安価になる。
【００３３】
図５は他の実施の形態の加湿ロータ４０を示す。この加湿ロータ４０の加湿ロータ本体４１は、穴の無い円板形状をしている。他の点は、図１に示す加湿ロータ２０と同じである。
【００３４】
この加湿ロータ４０は、加湿ロータ本体４１に穴がない分だけ、加湿ロータ本体４１の有効面積が増大し、したがって、加湿性能が向上する。
【００３５】
上記実施の形態では、加湿ロータ本体２１，４１とロータケース２２とを接着剤と爪の両方を利用して固定したが、接着剤または爪の一方によって、上記加湿ロータ本体２１，４１をロータケース２２に固定してもよい。
【００３６】
また、上記実施の形態では、ロータケース２２の外周にドリブンギア２５を形成したが、ドリブンギアの代わりに、摩擦伝動のための滑り車を形成してもよく、あるいは、ベルト駆動のためのプーリ部を形成してもよい。
【００３７】
また、上記実施の形態では、加湿ロータ２０，４０の外周の被案内部を本体フレーム３１の案内部で案内して、外周案内をしているが、加湿ロータの中央の穴に軸を挿入して、軸案内をするようにしてもよい。
【００３８】
【発明の効果】
以上より明らかなように、請求項１の発明の加湿ロータは、外周にドリブンギアを有する単一の輪状のロータケースに加湿ロータ本体を固定してなるので、部品点数が少なくて、コストダウンとコンパクト化を達成でき、しかも、加湿ロータ本体を押さえるための従来のような桟状のロータケースを使用していないので、通風抵抗が少なくなって、送風量が多くなって、加湿性能が向上する。また、上記ロータケースの筒部の内周から突出して、加湿ロータ本体に食い込んでいる爪によって、上記加湿ロータ本体をロータケースに固定しているので、通風性能を損ねることなく、簡単かつ耐久性よく強固に、加湿ロータ本体をロータケースに固定できる。
【００３９】
請求項２の発明の加湿ロータは、ロータケースの外周と端面に被案内部を設けているので、外周の被案内部を案内することによって、外周案内となって、軸が不用になって構造が簡単になり、かつ、軸が不用な分だけ、加湿ロータの有効面積が増大することが可能で、加湿性能が向上する。また、端面の被案内部を案内することによって、加湿ロータの傾きを簡単に防止できる。
【００４０】
【００４１】
請求項３の発明の加湿ユニットの加湿ロータ構造は、上記加湿ロータの外周を案内する案内部を有するので、軸が不要になって、構造が簡単、コンパクトになる。
【００４２】
請求項４の発明の加湿ユニットの加湿ロータ構造は、上記加湿ロータの外周の被案内部と端面の被案内部を案内する案内部を有するので、外周の被案内部を案内することによって、外周案内となって、軸が不用になり、かつ、軸が不用な分だけ、加湿ロータの有効面積が増大することが可能で、加湿性能が向上する。また、端面の被案内部を案内することによって、加湿ロータの傾きを簡単に防止できる。
【００４３】
請求項５の発明の加湿ユニットの加湿ロータ構造は、上記外周の案内部は離間して３個設けているので、簡単な構造で、加湿ロータを安定にかつスムーズに案内できる。
【００４４】
請求項６の発明は加湿ロータは、外周案内される輪状のロータケースと、このロータケースの内側に固定された吸湿性を有する加湿ロータ本体とからなるので、軸が不用になって構造が簡単になり、かつ、軸が不用な分だけ、また、加湿ロータの有効面積が増大し、加湿性能が向上する。また、上記ロータケースに桟がない分、その通風抵抗が少なくなって、送風量が多くなって、加湿性能が向上する。また、上記ロータケースの筒部の内周から突出して、加湿ロータ本体に食い込んでいる爪によって、上記加湿ロータ本体をロータケースに固定しているので、通風性能を損ねることなく、簡単かつ耐久性よく強固に、加湿ロータ本体をロータケースに固定できる。
【００４５】
請求項７の発明の加湿ロータでは、上記加湿ロータ本体が、円板状をしていて中央に穴がないので、加湿ロータの有効面積が増大し、加湿性能が向上する。
【図面の簡単な説明】
【図１】この発明の実施の形態の加湿ロータの分解斜視図である。
【図２】この発明の加湿ユニットの加湿ロータ構造の分解斜視図である。
【図３】上記加湿ユニットの加湿ロータ構造の要部の断面図である。
【図４】上記加湿ユニットの加湿ロータ構造の本体フレームの平面図である。
【図５】この発明の他の実施の形態の加湿ロータの斜視図である。
【図６】従来の加湿ロータの分解斜視図である。
【図７】従来の加湿ユニットの加湿ロータ構造の分解斜視図である。
【符号の説明】
２０，４０    加湿ロータ
２１，４１    加湿ロータ本体
２２    ロータケース
２５    ドリブンギア
２６    被案内部
３１    本体フレーム
３３，３４，３５，３６    案内部
【図１】
0003596443.tif 000002
【図２】
0003596443.tif 000003
【図３】
0003596443.tif 000004
【図４】
0003596443.tif 000005
【図５】
0003596443.tif 000006
【図６】
0003596443.tif 000007
【図７】
0003596443.tif 000008